【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
モータと、前記モータからの駆動力の伝達を受けるための装置本体ギアと、前記装置本体ギアと実質的に同軸線上に設けられた、ねじれた面で構成された本体凹部と、前記本体凹部の内部であって、前記装置本体ギアと実質的に同軸線上に設けられた本体凸部と、を有して、記録媒体に画像を形成する電子写真画像形成装置の装置本体に着脱可能なプロセスカートリッジであって、
電子写真感光体ドラムと、
前記電子写真感光体ドラムに作用するプロセス手段と、
前記電子写真感光体ドラムの長手方向一端に設けられた、前記ねじれた凹部と嵌合するねじれたカートリッジ突起と、
前記カートリッジ突起の先端部であって、前記カートリッジ突起と実質的に同軸線上に設けられたカートリッジ凹部と、ここで前記プロセスカートリッジが装置本体に装着された際に、前記カートリッジ凹部には前記本体凸部が侵入する、
を有して、
プロセスカートリッジが装置本体に装着された際に、前記カートリッジ突起が前記本体凹部と嵌合した状態で前記本体ギアが回転すると、前記本体凹部と前記カートリッジ突起とを介して、前記本体ギアの回転力が前記電子写真感光体ドラムに伝達されるように構成したことを特徴とするプロセスカートリッジ。
【請求項２】
前記カートリッジ凹部の内面は、先端側から奥側へ向かうに従って内側へ傾斜していることを特徴とする請求項１に記載のプロセスカートリッジ。
【請求項３】
前記カートリッジ凹部の奥側には、穴が貫通していることを特徴とする請求項１、または、請求項２に記載のプロセスカートリッジ。
【請求項４】
前記カートリッジ凹部に前記本体凸部が侵入した際に、前記カートリッジ凹部と前記本体凸部との間には遊びが存在することを特徴とする請求項１乃至請求項３のいずれか一つに記載のプロセスカートリッジ。
【請求項５】
前記電子写真感光体ドラムに回転駆動力が伝達される際には、前記カートリッジ凹部の内周面と前記本体凸部の外周面とは接触しないことを特徴とする請求項１乃至請求項４のいずれか一つに記載のプロセスカートリッジ。
【請求項６】
前記カートリッジ突起の形状は実質的に三角柱であることを特徴とする請求項１乃至請求項５のいずれか一つに記載のプロセスカートリッジ。
【請求項７】
前記三角柱は実質的に正三角柱である、ここで、前記正三角柱の角部分は面取り形状であることを特徴とする請求項６に記載のプロセスカートリッジ。
【請求項８】
更に、前記電子写真感光体ドラムの一端にはドラムフランジが設けられている、ここで、前記ドラムフランジには、カートリッジフレームに前記電子写真感光体ドラムを回転可能に支持するための軸と、前記軸の先端には前記カートリッジ突起、及び、カートリッジ凹部が設けられている、そして、前記ドラムフランジはプラスチック製の一体成形物であることを特徴とする請求項１乃至請求項７のいずれか一つに記載のプロセスカートリッジ。
【請求項９】
更に、カートリッジフレームには、前記ねじれた突起の全外周面にわたって円形の外壁が設けられている、あるいは、前記ねじれたカートリッジ突起の外周面の一部分に沿って円弧形状の外壁が設けられている、ここで、前記プロセスカートリッジが装置本体に装着された際に、前記外壁は装置本体に設けられた凹部に係合することを特徴とする請求項１乃至請求項８のいずれか一つに記載のプロセスカートリッジ。
【請求項１０】
前記プロセスカートリッジが装置本体に装着された際であって、前記電子写真感光体ドラムに回転駆動力が伝達されていない待機時には、前記外壁と前記装置本体凹部及び／又は、前記カートリッジ凹部の内面の一部分と前記本体凸部の外周面の一部分とが接触することを特徴とする請求項９に記載のプロセスカートリッジ。
【請求項１１】
前記電子写真感光体ドラムに回転駆動力が伝達される際には、前記カートリッジ突起は前記本体凹部によって引き込み作用力を受けることを特徴とする請求項１乃至請求項１０のいずれか一つに記載のプロセスカートリッジ。
【請求項１２】
前記プロセスカートリッジは、前記電子写真感光体ドラムと、前記プロセス手段としての少なくとも前記電子写真感光体ドラムに形成された潜像を現像するための現像手段、前記電子写真感光体ドラムに帯電するための帯電手段、前記電子写真感光体ドラムに残留するトナーを除去するためのクリーニング手段のいずれか一つを一体的にユニット化して、装置本体に対して着脱可能であることを特徴とする請求項１乃至請求項１１のいずれか一つに記載のプロセスカートリッジ。
【請求項１３】
更に、前記本体凹部のねじれた面の内、前記カートリッジ突起と当接しない部分に設けられた外方へ広げた部分を有することを特徴とする請求項３に記載のプロセスカートリッジ。
【請求項１４】
前記外方へ広げた部分の面は、本体凹部の設けられた本体軸の外周に実質的に沿った形状であることを特徴とする請求項１３に記載のプロセスカートリッジ。
【請求項１５】
前記本体凸部の外周面は、先端側から奥側へ向かうに従って外側へ傾斜していることを特徴とする請求項１乃至請求項１４のいずれか一つに記載のプロセスカートリッジ。
【請求項１６】
前記本体凹部の断面は実質的に三角形であることを特徴とする請求項１乃至請求項１５のいずれか一つに記載のプロセスカートリッジ。
【請求項１７】
前記三角形は実質的に正三角形であることを特徴とする請求項１６に記載のプロセスカートリッジ。
【請求項１８】
モータと、前記モータからの駆動力の伝達を受けるための装置本体ギアと、前記装置本体ギアの実質的に中央部に設けられた、前記装置本体ギアと一体に回転する断面が多角形のねじれた面で構成された本体凹部と、前記本体凹部の内側に設けられた本体突起と、を有して、記録媒体に画像を形成する電子写真画像形成装置の装置本体に着脱可能なプロセスカートリッジが有する、電子写真感光体ドラムと、前記電子写真感光体ドラムに形成された潜像を現像するための現像ローラと、に駆動力を伝達するための駆動力伝達部品であって、
プロセスカートリッジが装置本体に装着された際に、装置本体から受けた駆動力を前記現像ローラに伝達するためのギアと、
前記ギアの中央部に設けられた軸部と、
プロセスカートリッジが装置本体に装着された際に、装置本体に設けられた前記穴と嵌合して、装置本体から駆動力の伝達を受けるための前記軸部の先端に設けられたねじれたカートリッジ突起と、
前記突起に設けられたカートリッジ凹部と、
を有して、
前記カートリッジ凹部に前記本体突起が侵入した状態で、前記本体凹部とカートリッジ突起を介して装置本体から受けた駆動力を前記軸部を介して前記電子写真感光体ドラムに伝達する、また、前記はす歯ギアを介して前記現像ローラに伝達することを特徴とする駆動力伝達部品。
【請求項１９】
モータと、前記モータからの駆動力の伝達を受けるための装置本体ギアと、前記装置本体ギアの実質的に中央部に設けられた、前記装置本体ギアと一体に回転する断面が多角形のねじれた面で構成された本体凹部と前記本体凹部の内側に設けられた本体突起と、を有して、記録媒体に画像を形成する電子写真画像形成装置の装置本体に着脱可能なプロセスカートリッジに用いられる電子写真感光体ドラムであって、
ａ．周面に感光層を有するシリンダーと、
ｂ．プロセスカートリッジが装置本体に装着された際に、装置本体から受けた駆動力を前記現像ローラに伝達するためのギアと、
前記ギアの中央部に設けられた軸部と、
プロセスカートリッジが装置本体に装着された際に、装置本体に設けられた前記穴と嵌合して、装置本体から駆動力の伝達を受けるための前記軸部の先端に設けられたねじれたカートリッジ突起と、
前記突起に設けられたカートリッジ凹部と、
を有して、
前記カートリッジ凹部に前記本体突起が侵入した状態で前記本体凹部とカートリッジ突起を介して装置本体から受けた駆動力を前記軸部を介して前記電子写真感光体ドラムに伝達する、また、前記はす歯ギアを介して前記現像ローラに伝達する、
前記シリンダーの一端に取り付けられた駆動力伝達部品と、
を有することを特徴とする電子写真感光体ドラム。
【請求項２０】
プロセスカートリッジを着脱可能であって、記録媒体に画像を形成するための電子写真画像形成装置において、
（ａ）モータと、
（ｂ）前記モータからの駆動力の伝達を受けるための装置本体ギアと、
（ｃ）前記装置本体ギアと実質的に同軸線上に設けられた、ねじれた面で構成された本体凹部と、
（ｄ）前記本体凹部の内部であって、前記装置本体ギアと実質的に同軸線上に設けられた本体凸部と、
（ｅ）電子写真感光体ドラムと、
前記電子写真感光体ドラムに作用するプロセス手段と、
前記電子写真感光体ドラムの長手方向一端に設けられた、前記ねじれた凹部と嵌合するねじれたカートリッジ突起と、
前記カートリッジ突起の先端部であって、前記カートリッジ突起と実質的に同軸線上に設けられたカートリッジ凹部と、ここで前記プロセスカートリッジが装置本体に装着された際に、前記カートリッジ凹部には前記本体凸部が侵入する、
を有して、
プロセスカートリッジが装置本体に装着された際に、前記カートリッジ突起が前記本体凹部と嵌合した状態で前記本体ギアが回転すると、前記本体凹部と前記カートリッジ突起とを介して、前記本体ギアの回転力が前記電子写真感光体ドラムに伝達されるように構成したプロセスカートリッジを取り外し可能に装着するためのカートリッジ装着手段と、
を有することを特徴とする電子写真画像形成装置。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】